(57)【要約】【課題】  被取付部品の位置決めを容易にすると共に、組付精度や部品精度等によるばらつきを吸収して、且つ被取付部品の振動を取付面に伝達させない取付具を提供する。【解決手段】  取付具は、一端側に設けられ取付孔２と当接する弾性部１０と、この弾性部１０から他端側に向けて設けられスタッドボルト３のねじ部３’に係止される係止部１１とを有するクリップ４と、このクリップ４にスタッドボルト３を案内する案内部材５とから構成されている。これにより、被取付部品１のスタッドボルト３に対する位置決めが容易となり、位置決め後被取付部品１を押し込めば、スタッドボルト３は、案内部材５に沿ってスライドすると同時に弾性部１０が伸縮して、係止部１１との軸心が一致した状態で係止部１１内に挿入されて、ねじ部３’に係止部１１が係止される。さらに、被取付部品１の振動は、弾性部１０に吸収されるため取付面６には伝達されない。【選択図】        図５
2006070975.tif 000002
【特許請求の範囲】
【請求項１】
取付面から突設され被取付部品の取付孔を挿通するスタッドの外周面に設けられた突条部に係止される取付具であって、
一端側に設けられ、前記取付孔の内周面と当接される弾性部と、該弾性部から他端側に向けて設けられ、前記突条部に係止される係止部と、からなるクリップと、該クリップ内に前記スタッドを案内する案内部材とを有することを特徴とする取付具。
【請求項２】
前記弾性部は、略円筒状に形成されることを特徴とする請求項１に記載の取付具。
【請求項３】
前記弾性部と前記係止部とは異なる樹脂材にて一体成型されることを特徴とする請求項１または２に記載の取付具。
【発明の詳細な説明】
【技術分野】
【０００１】
本発明は、取付面から突設され被取付部品の取付孔を挿通するスタッドに嵌合する取付具に関するものである。
【背景技術】
【０００２】
従来から空調ユニットを車両に搭載する際には、車両搭載前にまず、空調ユニットをインストルメントパネルリインフォースメント（以下インパネＲ／Ｆと称す）に仮組み付けし、そして、インパネＲ／Ｆに仮組み付けされた空調ユニット（被取付部品）をボデー（取付面）に一体搭載している。
そこで、インパネＲ／Ｆに空調ユニットを組み付けた際の組付誤差、空調ユニットの部品精度やボデーから突設されたスタッドボルトの位置精度等のばらつきを吸収するために、図７に示すように、空調ユニット１に設けたボデー６との取付孔２を、ボデー６から突設されたスタッドボルト３の外径よりも相当大きく形成していた。そして、この取付孔２にスタッドボルト３を挿通して、座面５１の大きい特殊ナット５０で締め付けて、インパネＲ／Ｆが仮組み付けされた空調ユニット１を、ボデー６に一体搭載していた。
【０００３】
しかしながら、従来の取付方法では、組付誤差等を吸収するために取付孔がスタッドボルトの外径よりも相当大きく設定されているために、被取付部品の取り付けの際、スタッドボルトの位置が取付孔内で安定せず、被取付部品の取付位置が定まらないため、被取付部品をスタッドボルトに対して位置決めする作業が非常に煩雑となる。さらに、取付後には、取付孔の内周面とスタッドボルトの外周面との間に空間が形成されるため、被取付部品がガタ付き、被取付部品の保持力が不足する虞がある。
また、スタッドボルトを空調ユニットの取付孔の中心に確保することができず、スタッドボルトが、取付孔内で片寄って配置され、取付孔の内周面と当接または近接して固定された場合には、空調ユニットのブロアモータからの振動がスタッドボルトを経由してインパネＲ／Ｆからステアリングに伝達され、ハンドリングに悪影響を及ぼす虞があった。
しかも、上述した取付方法では、インパネＲ／Ｆに仮組み付けされた空調ユニットを一体でボデーに当接させた後に、取付孔から延びるスタッドボルトに座面の大きい特殊ナットを締め付ける必要があるので、空調ユニットをインパネＲ／Ｆと一体でボデーに当接させると同時に取り付けを完了することができず、取付作業が煩雑であった。
【０００４】
そこで、組付誤差等を吸収するための従来技術として、特許文献１には、クランプ筐体が、前後方向に貫通している収納部を有する主筐体と、主筐体の収納部に摺動自在に収納される補助筐体とから構成され、主筐体の上壁には長孔形状のスタッドボルトの挿入孔が形成され、また、補助筐体には、その上壁にスタッド挿入孔と、この孔上縁部にスタッドボルトの挿入方向をガイドするための断面椀状のテーパと、その前後壁に、スタッドボルトを係止する弾性爪片とを設け、スタッドボルトの挿入位置が主筐体の挿入孔の中心からずれて補助筐体に挿入される場合には、スタッドボルトの挿入に伴う応力を補助筐体の挿入孔の上縁部に設けたテーパで受け、この応力により、補助筐体をスタッドボルトの軸心と一致する方向に収納部内を摺動させて、スタッドボルトを補助筐体内の弾性爪片同士の間の中心に常に位置させることが開示されている。
【０００５】
【特許文献１】特開平１０−３７９３４号公報
【発明の開示】
【発明が解決しようとする課題】
【０００６】
しかしながら、特許文献１の発明では、主筐体の収納部に補助筐体が摺動自在に収納され、スタッドボルトの軸心が補助筐体の挿通孔の中心とずれた場合でも、補助筐体が、スタッドボルトの軸心に補助筐体の挿通孔の中心が一致するように摺動されて、スタッドボルトを補助筐体に嵌合させているが、主筐体の挿通孔は、スタッドボルトの外径よりも大きい長孔に形成されているので、上述した問題と同様に、主筐体をスタッドボルトに対して位置決めする作業が煩雑となる虞がある。さらに、特許文献１の発明は、構造が複雑でありコストアップの要因となる。
【０００７】
本発明は、かかる点に鑑みてなされたものであり、被取付部品の位置決めを容易にすると共に、組付精度や部品精度等のばらつきを吸収して、且つ被取付部品の振動を取付面に伝達させない取付具を提供することを目的とする。
【課題を解決するための手段】
【０００８】
本発明は、上記課題を解決するための手段として、請求項１に記載した取付具の発明は、取付面から突設され被取付部品の取付孔を挿通するスタッドの外周面に設けられた突条部に係止される取付具であって、一端側に設けられ、前記取付孔の内周面と当接される弾性部と、該弾性部から他端側に向けて設けられ、前記突条部に係止される係止部と、からなるクリップと、該クリップ内に前記スタッドを案内する案内部材とを有することを特徴とするものである。
請求項２に記載した取付具の発明は、請求項１に記載した発明において、前記弾性部は、略円筒状に形成されることを特徴とするものである。
請求項３に記載した取付具の発明は、請求項１または２に記載した発明において、前記弾性部と前記係止部とは異なる樹脂材にて一体成型されることを特徴とするものである。
【０００９】
従って、請求項１に記載した取付具の発明では、クリップを取付孔に組み付けた際、クリップは常に取付孔の中心に位置される共に、被取付部品が取付面に取り付けられる際、組付誤差や部品精度等によって、スタッドの軸心と取付孔の中心とが一致しない場合でも、スタッドは案内部材によってクリップ内に導かれるので、被取付部品をスタッドに対して位置決めする作業が容易となり、しかも、スタッドは常に安定して取付孔の中心付近に挿入されるようになる。また、被取付部品が取付面に取り付けられた後、被取付部品の振動は弾性部により吸収されるので、被取付部品の振動が取付面へ伝達されることはない。
請求項２に記載した取付具の発明では、弾性部を取付孔に組み付ける際の位置決めが容易となる。
請求項３に記載した取付具の発明では、弾性部及び係止部のそれぞれに、所望の弾性力が得られる。また、クリップの部品点数が最小限に抑えられ、クリップの取付孔への組付工数も低減される。
【発明の効果】
【００１０】
本発明によれば、被取付部品の位置決めを容易にすると共に、組付精度や部品精度等のばらつきを吸収して、且つ被取付部品の振動を取付面に伝達させない取付具を提供することができる。
【発明を実施するための最良の形態】
【００１１】
以下、本発明を実施するための最良の形態を図１〜図６に基いて詳細に説明する。従来例と同一部材及び相当する部品は、同一の符号を使用して説明する。
本発明の実施の形態に係る取付具は、図１及び図５に示すように、被取付部品１の取付孔２を挿通するスタッドボルト（スタッド）３のねじ部（突条部）３’に係止されるクリップ４と、このクリップ内４にスタッドボルト３を案内する案内部材５とから構成されている。ここで、取付孔２は、略円形で、取付面６から突設されるスタッドボルト３の外径よりも相当大きな内径で形成されている。
【００１２】
クリップ４は、図１に示すように、一端側に設けられ、取付孔２の内周面と当接する伸縮自在の弾性部１０と、該弾性部１０から他端側に向って設けられ、ねじ部３’に係止される係止部１１とから概略構成されている。
【００１３】
弾性部１０は、図１に示すように、ゴム性樹脂であるエラストマー樹脂製で形成されている。また、この弾性部１０は、略円筒状に形成され、被取付部品１の厚さと略同一の厚さを有している。この弾性部１０の周壁には、図１及び図２に示すように、間に環状の空間１５を有する外周壁１２及び内周壁１３が形成され、これら外周壁１２と内周壁１３とは、それぞれの端部が周方向に所定の間隔を置いて複数配置された連結板１４により連結されている。このように構成される弾性部１０は、径方向に伸縮自在となる。さらに、この弾性部１０の外周壁１２の外周径は、取付孔２に挿入され当接されるべく、取付孔２の内周径と略同一に設定され、内周壁１３の内周径は、後述する挿入部１８が挿入され当接されるべく、挿入部１８の外周径と略同一に設定されている。
【００１４】
係止部１１は、図１に示すように、所定長さを有しスタッドボルト３が挿通される略円筒状に形成されている。また、この係止部１１には、その内周面から全周または部分的に突設された係止爪部１６が複数列（図では２列）形成されている。これら対向する係止爪部１６、１６間にスタッドボルト３が挿入されて、係止爪部１６がねじ部３’に係止されるようになる。さらに、係止部１１の他端部には、係止爪部１６、１６が形成される部位の外周径より小径の小径部１９が形成されている。
また、係止部１１の弾性部１０側には、順にフランジ部１７、挿入部１８が設けられ、これら係止部１１、フランジ部１７及び挿入部１８は、硬質樹脂（ポリアセタール樹脂（ＰＯＭ）等）で一体成型されている。
フランジ部１７は、図１に示すように、係止部１１の一端から連続して設けられ、スタッドボルト３が挿通される挿通孔１７ａを有し、その外形は弾性部１０を覆い被取付部品１と所定範囲で当接される略円形状に形成されている。また、フランジ部１７の外周縁には外方に向って漸次薄厚となる傾斜面１７ｂが形成されている。
挿入部１８は、図１に示すように、略円筒状に形成され、フランジ部１７の挿通孔１７ａから連続する挿通孔１８ａを有すると共に、その外周径は弾性部１０の内周壁１３に当接されるべく、内周壁１３の内周径と略同一に設定されている。また、挿通孔１８ａの内周径は、後述する案内部材５の案内部２１が挿入されて当接されるべく、案内部２１の外周径とほぼ同一に設定されている。
【００１５】
そして、クリップ４は、弾性部１０の内周壁１３に挿入部１８を当接させた状態で、エラストマー樹脂製からなる弾性部１０と、ポリアセタール樹脂製からなる係止部１１、フランジ部１７及び挿入部１８とが一体に構成される。
【００１６】
案内部材５は、図１に示すように、被取付部品１に当接されるフランジ部２０と、該フランジ部２０と連設され挿入部１８の挿通孔１８ａに挿入され当接される略円筒状の案内部２１とから構成されている。これらフランジ部２０と案内部２１とは硬質樹脂（ポリアセタール樹脂等）で一体成型されている。
案内部２１は、スタッドボルト３が挿通される挿通孔２１ａを有すると共に、その外周径は、挿入部１８の挿通孔１８ａの内周径と略同一に設定されている。また、挿通孔２１ａの内周径は、スタッドボルト３が支障なく挿通できる程度の径に設定されている。
フランジ部２０は、その外形が被取付部品１と所定範囲で当接される略円形状に形成されている。また、このフランジ部２０には、案内部２１の挿通孔２１ａに連通する案内孔２０ａが形成されている。この案内孔２０ａは、その断面がテーパ状に形成され、その開口径が案内部２１の挿通孔２１ａから端面２２に向ってしだいに大きくなるように設定されている。
【００１７】
以上説明した取付具によって、被取付部品１を取付面６に取り付ける手順を図３〜図５に基いて説明する。
まず、被取付部品１の取付孔２にクリップ４及び案内部材５を組み付ける。具体的には、図３に示すように、クリップ４を、係止部１１がスタッドボルト３と同方向に延設されるように取付孔２内に配置して、フランジ部１７を被取付部品１に当接させると共に、弾性部１０の外周壁１２の外周面を取付孔２の内周面に当接させる。次に、図３に示すように、被取付部品１に対してクリップ４側とは反対側に案内部材５を配置して、案内部材５の案内部２１の外周面が挿入部１８の挿通孔１８ａの内周面に当接するように挿入する。そして、クリップ４及び案内部材５は、案内部２１の挿通孔２１ａと取付孔２との中心が一致すると共に、案内部２１の挿通孔２１ａの中心と係止部１１の軸心とが一致するように、取付孔２に組み付けられる。
【００１８】
次に、被取付部品１の取付孔２にクリップ４及び案内部材５が組み付けられた状態で、被取付部品１を、スタッドボルト３の先端が案内部材５の挿通孔２１ａに挿入されるように位置決めして、位置決め後、被取付部品１を案内部材５の端面２２が取付面６に当接するまで押し込む。すると、図５に示すように、スタッドボルト３は、挿通孔２１ａから係止部１１内に挿入されると共に、ねじ部３’に係止爪部１６が係止されて、被取付部品１が取付面６に取り付けられる。
【００１９】
ここで、図４及び図５に示すように、スタッドボルト３の軸心が被取付部品１の取付孔２の中心とずれて配置されている場合には、被取付部品１を、スタッドボルト３の先端に案内部材５の案内孔２０ａのテーパ面を押し当てて位置決めして、位置決め後、被取付部品１を案内部材５の端面２２が取付面６に当接するまで押し込む。すると、スタッドボルト３は、案内孔２０ａのテーパ面に沿ってスライドすると同時に弾性部１０がスタッドボルト３側に圧縮して、係止部１１との軸心が一致された状態で係止部１１内に挿入され、ねじ部３’に係止爪部１６が係止されて、被取付部品１が取付面６に取り付けられる。
【００２０】
以上のように組み付けられた後、図６に示すように、被取付部品１が矢印に示す方向に振動した場合でも、被取付部品１は、スタッドボルト３及び取付面６とは接触しておらず、且つその振動は弾性部１０が伸縮することにより吸収されるため、被取付部品１の振動が取付面６に伝達されることはない。
【００２１】
以上説明した本実施の形態に係る取付具によれば、被取付部品１の取付孔２にクリップ４が挿入されると、クリップ４は常に取付孔２の略中央に位置され、また、案内部材５が被取付部品１に対してクリップ４とは反対側に配置され取付孔２に組み付けられているので、スタッドボルト３の軸心が取付孔２の中心とずれた位置に配置された場合でも、スタッドボルト３の先端に案内部材５の案内孔２０ａのテーパ面を押し当てて、被取付部品１を押し込めば、スタッドボルト３は、案内孔２０ａに沿ってスライドすると同時に弾性部１０が伸縮して、係止部１１との軸心が一致された状態で係止部１１内に挿入される。これにより、被取付部品１をスタッドボルト３に対して位置決めする作業が簡単になると共に、スタッドボルト３が係止爪部１６、１６の間の略中央に配置され、確実にねじ部３’に係止爪部１６が係止される。
さらに、本発明の実施の形態に係る取付具によれば、被取付部品１が取付面６に取り付けられた後、被取付部品１の振動は弾性部１０によって吸収されるため、その振動が取付面６に伝達されることはない。
【００２２】
しかも、本発明の実施の形態に係る取付具によれば、スタッドボルト３の先端に案内部材５の案内孔２０ａのテーパ面を押し当てて、被取付部品１を押し込めば、スタッドボルト３のねじ部３’に係止部１１が係止されて、被取付部品１の取付面６への取り付けが完了するので、取り付け作業のワンタッチ化が可能となり、取付時間が短縮できると共に、良好な作業環境が得られない場所ではかなり有効である。
【００２３】
なお、本発明の実施の形態に係る取付具が使用される部位については、特に限定されないが、組付誤差等を吸収するために、被取付部品１に設けた取付孔２が、スタッドボルト３の外径よりも大きく設定されている部位に使用されるようになる。さらに、被取付部品１が振動を生じる部品であると特に有効に機能する。例えば、インパネＲ／Ｆに仮組み付けされた空調ユニット（ブロワモータによる振動が生じる）を一体で、ボデーに取り付ける際の取付具として採用すると特に有効である。この形態の場合、インパネＲ／Ｆに仮組み付けされた空調ユニットが被取付部品１に相当して、ボデーが取付面６に相当することになる。
【図面の簡単な説明】
【００２４】
【図１】図１は、本発明の実施の形態に係る取付具を示す断面図である。
【図２】図２は、図１のＡ−Ａ線に沿った断面図である。
【図３】図３は、取付孔にクリップ及び案内部材が取り付けられた状態を示す断面図である。
【図４】図４は、スタッドボルトの先端が案内孔をスライドする状態を示す断面図である。
【図５】図５は、スタッドボルトがクリップに係止された状態を示す断面図である。
【図６】図６は、被取付部品の振動により弾性部が伸縮した状態を示す断面図である。
【図７】図７は、従来の取付具を示す断面図である。
【符号の説明】
【００２５】
１  被取付部品、２  取付孔、３  スタッドボルト（スタッド）、３’  ねじ部（突条部）、４  クリップ、５  案内部材、６  取付面、１０  弾性部、１１  係止部
【図１】
2006070975.tif 000003
【図２】
2006070975.tif 000004
【図３】
2006070975.tif 000005
【図４】
2006070975.tif 000006
【図５】
2006070975.tif 000007
【図６】
2006070975.tif 000008
【図７】
2006070975.tif 000009